(57)【要約】【課題】サウンディング基準信号（ＳＲＳ）及びそのパラメータの送信方法、基地局並びに移動端末を提供する。【解決手段】ＳＲＳ送信方法は、基地局から受信した１つのアンテナのＳＲＳパラメータに基づいて、移動端末における１つのアンテナにＳＲＳリソースを割り当てるステップと、受信した前記ＳＲＳパラメータと、前記移動端末における各アンテンアのＳＲＳパラメータ間の所定関係とに基づいて、前記移動端末における他のアンテナのＳＲＳパラメータを確定するステップと、確定した前記他のアンテナのＳＲＳパラメータに基づいて、前記他のアンテナにＳＲＳリソースを割り当てるステップと、前記１つのアンテナ及び他のアンテナを経由して、割り当てられている前記ＳＲＳリソースにより、対応するＳＲ信号をそれぞれ送信するステップと、を含む。よって、無線通信システムのシグナリングリソースを節約することができる。【選択図】図４
2013531405.tif 000002
【特許請求の範囲】
【請求項１】
サウンディング基準信号（ＳＲＳ）を送信する方法であって、
基地局から受信した１つのアンテナのＳＲＳパラメータに基づいて、移動端末における１つのアンテナにＳＲＳリソースを割り当てるステップと、
受信した前記ＳＲＳパラメータと、前記移動端末における各アンテンアのＳＲＳパラメータ間の所定関係とに基づいて、前記移動端末における他のアンテナのＳＲＳパラメータを確定するステップと、
確定した前記他のアンテナのＳＲＳパラメータに基づいて、前記他のアンテナにＳＲＳリソースを割り当てるステップと、
前記１つのアンテナ及び他のアンテナを経由して、割り当てられている前記ＳＲＳリソースにより、対応するＳＲ信号をそれぞれ送信するステップと、を含む方法。
【請求項２】
前記基地局から、ダウンリンクブロードキャストシグナリングを受信し、前記ダウンリンクブロードキャストシグナリングから、前記移動端末におけるアンテナの個数に対応する前記所定関係を取得するステップを更に含む、請求項１に記載の方法。
【請求項３】
前記所定関係は、チャンネル条件及び無線リンク特性の変動に基づいて、前記基地局により動的に更新される、請求項１に記載の方法。
【請求項４】
サウンディング基準信号（ＳＲＳ）パラメータを送信する方法であって、
移動端末に、前記移動端末における各アンテナのＳＲＳパラメータ間の所定関係を送信するステップと、
前記所定関係に基づいて、前記移動端末における１つのアンテナのＳＲＳパラメータを確定するステップと、
前記移動端末に、前記１つのアンテンアのＳＲＳパラメータを送信するステップと、を含む、方法。
【請求項５】
ダウンリンクブロードキャストシグナリングにより、前記移動端末におけるアンテナの個数に対応する前記所定関係を送信する、請求項４に記載の方法。
【請求項６】
チャンネル条件及び無線リンク特性の変動に基づいて、前記所定関係を動的に更新するステップを更に含む、請求項４に記載の方法。
【請求項７】
前記移動端末におけるアンテナの個数を受信するステップと、
前記アンテナの個数に対応する前記所定関係を確定するステップと、
前記アンテナの個数と前記所定関係とに基づいて、前記移動端末に送信する前記移動端末の前記１つのアンテナのＳＲＳパラメータを確定するステップと、を更に含む、請求項５に記載の方法。
【請求項８】
移動端末であって、
基地局から、１つのアンテナのサウンディング基準信号（ＳＲＳ）パラメータを受信するための受信ユニットと、
前記受信ユニットにより受信した前記ＳＲＳパラメータに基づいて、前記移動端末における１つのアンテナにＳＲＳリソースを割り当て、前記ＳＲＳパラメータと、前記移動端末における各アンテナのＳＲＳパラメータ間の所定関係とに基づいて、前記移動端末における他のアンテナのＳＲＳパラメータを確定し、及び、確定した前記他のアンテナのＳＲＳパラメータに基づいて、前記他のアンテナにＳＲＳリソースを割り当てるためのＳＲＳリソース割り当てユニットと、
前記１つのアンテナ及び他のアンテナを経由して、割り当てられている前記ＳＲＳリソースにより、対応するＳＲ信号をそれぞれ送信するための送信ユニットと、を含む移動端末。
【請求項９】
前記受信ユニットは、さらに、前記基地局から、ダウンリンクブロードキャストシグナリングを受信し、前記ダウンリンクブロードキャストシグナリングから、前記移動端末におけるアンテナの個数に対応する前記所定関係を取得する、請求項８に記載の移動端末。
【請求項１０】
前記所定関係は、チャンネル条件及び無線リンク特性の変動に基づいて、前記基地局により動的に更新される、請求項８に記載の移動端末。
【請求項１１】
基地局であって、
移動端末における各アンテナのサウンディング基準信号（ＳＲＳ）パラメータ間の所定関係に基づいて、前記移動端末における１つのアンテナのSRSパラメータを確定するためのSRSパラメータ確定ユニットと、
前記移動端末に前記所定関係を送信し、また、前記移動端末に前記１つのアンテナのSRSパラメータを送信するための送信ユニットと、を含む、基地局。
【請求項１２】
前記送信ユニットは、ダウンリンクブロードキャストシグナリングにより、前記移動端末におけるアンテナの個数に対応する前記所定関係を送信する、請求項１１に記載の基地局。
【請求項１３】
前記SRSパラメータ確定ユニットは、さらに、チャンネル条件及び無線リンク特性の変動に基づいて、前記所定関係を動的に更新する、請求項１１に記載の基地局。
【請求項１４】
前記移動端末のアンテナの個数を受信するための受信ユニットを更に含み、
前記SRSパラメータ確定ユニットは、さらに、前記アンテナの個数に対応する前記所定関係を確定し、また、前記アンテナの個数と前記所定関係とに基づいて、前記移動端末に送信する前記移動端末の前記１つのアンテナのＳＲＳパラメータを確定する、請求項１２に記載の基地局。
【発明の詳細な説明】
【技術分野】
【０００１】
本発明は、総体的に、無線通信システム分野に関し、より具体的に、サウンディング基準信号又はサウンディングリファレンス信号（Sounding  Reference  Signal，SRS）の送信方法、ＳＲＳパラメータの送信方法、基地局（Base  Station）及び移動端末(Mobile  Station)に関する。
【背景技術】
【０００２】
第４世代（4G）移動通信システムでは、例えば、LTE（ロング・ターム・エボリューション）シングルキャリア周波数分割多元接続（Single  Carrier  Frequency  Division  Multiple  Access：SC−FDMA）上りリンクにおいて、基準信号又はリファレンス信号（Reference  Signal，RS）がデータ復調及びチャンネルサウンディングのために用いられる。
【０００３】
上りリンクRSの機能は、コヒーレント復調を行うために必要なチャンネル推定、上りリンクスケジューリングのチャンネル品質測定、電力制御、タイミング推定、及び、下りリンクビーム形成をサポートする到来波方向（DOA)の推定などのために用いられることを含む。
【０００４】
LTE中の上りリンク基準信号の大部分は、Zadoff-Chu（ZC）シーケンスに基づくものである。ZCシーケンスは、GCL（汎用チャープ状，Generalized  Chirp-Like）シーケンスとも称される。該シーケンスは全て非バイナリー振幅シーケンスであり、CAZAC（Constant  Amplitude  Zero  Autocorrellation，定振幅ゼロ自己相関）特性を満たす。CAZACシーケンスは、形式が
（外１）
2013531405.tif 000003
である複素信号である。長さが素数
（外２）
2013531405.tif 000004
であるZCシーケンスは、次のように表され得る。
【数１】
2013531405.tif 000005
ただし、
【数２】
2013531405.tif 000006
は、ZCシーケンスのルートインデックス（Root  Index）であり、
【数３】
2013531405.tif 000007
であり、
【数４】
2013531405.tif 000008
である。簡単のため、LTEでは、
【数５】
2013531405.tif 000009
と設定される。
【０００５】
ZCシーケンスは、次のような特性を有する。
【０００６】
１．ZCシーケンスは、定振幅を有し、またDFT演算が行われた後でも定振幅を有する。定振幅の特性は、ピーク対平均電力の比（PAPR）、及び他のユーザに与える境界及び時間性平坦型干渉を制限することができる。また、振幅要らず位相のみを計算及び記憶する必要がある時に、このような特性により、実現は簡略化され得る。
【０００７】
２．任意の長さのZCシーケンスは、理想的な周期自己相関性（Cyclic  Autocorrelation）を有し、即ち、周期シフト相関は、δ関数である。
【０００８】
ZCシーケンスの理想的な特性により、上りリンクのRSは、次のような良好な特性を有する。（１）周波数領域では振幅が一定であり、これは、不偏チャンネル推定において、割り当てられている全てのサブキャリヤ(Subcarrier)に対して同じ励起を行うためである。（２）時間領域では低キュービックメトリック（CM）の値が低い。（３）非常に良い自己相関特性を有し、精確なチャンネル推定にとっては有利である。（４）良好な相互相関特性を有し、他のセルが同じリソースにより送信するRSの干渉を減らすことができる。
【０００９】
上りリンクは、２種類のRS、即ち、（１）復調RS（Demodulation  RS，DM-RS）、及び（２）サウンディングRS（Sounding  RS，RS）をサポートする。復調RSは、主に、上りチャンネルデータ伝送又はシグナリング情報伝送のチャンネル推定を行い、関連する検出や測定を実施するために用いられる。サウンディングRSは、主に、チャンネル品質測定を行い、上りリンクの周波数選択性スケジューリングを行うために用いられる。
【００１０】
LTEシステムでは、図１に示すように、一つのサブフレーム（Subframe）がトータルで１４個のシンボルを有し、それぞれ、No.0,No.2,No.1,…,No.13で表れる。Rel.8/9システムでは、ユーザのSR信号がNo.13のシンボルのみにおいて伝送され得る。Rel.8/9システムでは、ユーザのDMRS信号がNo.3及びNo.10のシンボルのみにおいて伝送され得る。上りリンクのDMRS及びSRSはデータシンボルと時分割多重化される。1つの所定のユーザの移動端末のDMRSと、該ユーザが送信する上りリンクデータチャンネル（PUSCH）又は上りリンクシグナリングチャンネル（PUCCH）とは、同じバンド幅（又は帯域幅）、例えば、セルのバンド幅（Cell  Bandwidth）全体の中のPUSCHバンド幅を有する。よって、システムの異なるバンド幅を、異なるユーザに割り当てる時（FDMA）に、各ユーザのDMRSも互いに直交する。
【００１１】
ユーザのSRSバンド幅は、データ伝送のためのバンド幅と異なっても良い。ユーザのSR信号は、常に、1つのサブフレームの最後の1つのSC-FMDAシンボルにおいて伝送され、且つ該SR信号のパラメータは、システムの上位層シグナリングにより通知される。図１では、移動端末がサブフレームの最後の1つのシンボルにおいてSRSを周期的に送信する。図２では、各ユーザの移動端末のSR信号が、周波数分割多重化（FDM）、コード分割多重化（CDM）により多重化され、又は、時分割多重化（TDM）により多重化される。TDM方式では、LTE中のeNodeB（基地局）は、移動端末が1つのシングルなSRSを送信するようにリクエストし、又は移動端末がSRSを終了までに周期的に送信するように構成させる。１つの移動端末がSRSを周期的に送信するのであれば、この周期は、２、５、１０、２０、４０、８０、１６０又は３２０msであってもよい。FDM方式では、eNodeBが、異なるバンド幅の周波数リソース、又は、バンド幅が同じであるが位置が異なる周波数リソースを、SR信号を伝送するために、ユーザの移動端末に指定しても（与えても）よい。SRSバンド幅に影響する要因は、移動端末の最大電力、サウンディングをサポート可能な移動端末の数、及び、チャンネルの状況に頼る上りリンクスケジューリングから利得を得るに必要なサウンディングバンド幅を含む。周波数リソースを更に多重化するために、同一の周波数バンドにあるキャリアを異なるサブキャリアに分け、伝送コム（Ｔｒａｎｓｍｉｓｓｉｏｎ  Ｃｏｍｂ，ＴＣ）値により、周波数領域においてサブキャリアを互いにずらさせることもできる。CDM方式では、eNodeBが、バンド幅が同じであり且つ位置が同じである周波数リソースを異なるユーザに与えても（指定しても）よい。この時に、RSシーケンスの異なる周期的なシフト（Cyclic  Shift，CS）を用いてシーケンスの直交を実現してもよく、即ち、1つのZCシーケンスと、同一のシーケンスの任意の周期的なシフトとの間の相関性が０である。異なる移動端末が異なるCS値を有する。チャンネルインパルス応答が有限長である時に、異なる送信機が、同じRSベースシーケンスの異なる周期的な時間シフトを用いてもよく、周期的なシフトがチャンネルインパルス応答よりも長ければ、RS間は直交を維持することができる。
【００１２】
上述のTDM、FDM、及びCDMのほかに、今のところのLTEシステムでは、SRSリソースの多重化を行う他の手段が存在しない。
【００１３】
LTEシステムでは、ユーザの上りリンク信号の送信が、シングルアンテナ送信モード又はアンテナ選択送信モードをサポートする。SRSリソースを与える（指定する）時に、各ユーザに一組のSRSリソースのみが与えられてもよい。
【００１４】
LTE-Advancedシステムでは、より高い上りリンク伝送レート指標を満たすために、移動端末が上りリンクにおいてより高いランク（Rank）の伝送、例えば、rank1-rank4の伝送をサポートするように要求され、そのため、移動端末に、より多くのアンテナを設置する必要があり、例えば、最大rank2の伝送をサポートするために２つのアンテナを設置する必要がり、最大rank４の伝送をサポートするために４つのアンテナを設置する必要がある。
【００１５】
より多くのアンテナを移動端末に設置し、より高いrankの伝送を行う時に、各アンテナのチャンネルのサウンディング及び推定を行うのに便利なように、より多くのSRSリソースが指定される必要もある。
【００１６】
基地局は、各移動端末及び各移動端末の各アンテナが使用するサウンディングリソースを指定した後に、それに対応するSRSパラメータをシグナリングにより各移動端末に通知する必要があり、これにより、移動端末は、SRSパラメータに基づいてアンテナへのSRCリソースの実際の割り当てを行う。
【００１７】
明らかに分かる１種の方法としては、基地局がオープンなシグナリングにより各ユーザに各アンテナのサウンディング信号のリソースをそれぞれ通知するものがある。しかし、この方法は、システムのシグナリング負荷が高すぎることを引き起こす可能性がある。例えば、この移動端末が２つの送信アンテナを有する場合は、各送信アンテナのサウンディング信号のリソース配置を通知するために２倍のシグナリング負荷が必要となる。また、例えば、この移動端末が４つの送信アンテナを有する場合は、各送信アンテナのサウンディング信号のリソース配置を通知するために４倍のシグナリング負荷が必要となる。
【発明の概要】
【発明が解決しようとする課題】
【００１８】
以下、本発明について簡単に概説し、これにより、本発明へのいくつかの側面における基本理解を提供する。理解すべきは、この概説は、本発明の網羅的な説明ではなく、本発明のキーポイント又は重要な部分を確定するためのものではなく、また、本発明の範囲を限定するためのものでもない。また、この概説の目的は、単に、簡単な形式でいくつかの概念を述べることのみにあり、また、このような概説は、後述の更なる説明の前書きとされる。
【００１９】
本発明は、少なくとも、従来技術中の上述の技術問題を解決し、無線通信システムにおけるシグナリングリソースを節約することを目的とする。
【課題を解決するための手段】
【００２０】
本発明の一側面によれば、サウンディング基準信号を送信する方法が提供される。かかる方法は、基地局から受信した、１つのアンテナのためのSRSパラメータに基づいて、移動端末における１つのアンテナにSRSリソースを割り当てるステップと、受信したSRSパラメータ及び前記移動端末における各アンテナのSRSパラメータ間の所定関係に基づいて、前記移動端末における他のアンテナのSRSパラメータを確定するステップと、確定した他のアンテナのSRSパラメータに基づいて、前記他のアンテナにSRSリソースを割り当てるステップと、前記１つのアンテナ及び他のアンテナを経由して、前記割り当てられたSRSリソースにより、対応するSR信号をそれぞれ送信するステップと、を含む。
【００２１】
本発明の他の側面によれば、サウンディング基準信号のパラメータを送信する方法が提供される。かかる方法は、移動端末に、該移動端末における各アンテナのSRSパラメータ間の所定関係を送信するステップと、前記所定関係に基づいて、前記移動端末における１つのアンテナのSRSパラメータを確定するステップと、前記移動端末に、前記１つのアンテナのSRSパラメータを送信するステップと、を含む。
【００２２】
本発明の他の側面によれば、移動端末が提供される。かかる移動端末は、基地局から１つのアンテナのためのSRSパラメータを受信するための受信ユニットと、前記受信ユニットにより受信されたSRSパラメータに基づいて、前記移動端末における１つのアンテナにSRSリソースを割り当て、前記SRSパラメータ及び前記移動端末における各アンテナのSRSパラメータ間の所定関係に基づいて、前記移動端末における他のアンテナのSRSパラメータを確定し、また、確定した他のアンテナのSRSパラメータに基づいて、前記他のアンテナにSRSリソースを割り当てるためのSRSリソース割り当てユニットと、前記１つのアンテナ及び他のアンテナを経由して、前記割り当てられたSRSリソースにより、対応するSR信号をそれぞれ送信するための送信ユニットと、を含む。
【００２３】
本発明の他の側面によれば、基地局が提供される。かかる基地局は、移動端末における各アンテナのSRSパラメータ間の所定関係に基づいて、前記移動端末における１つのアンテナのためのSRSパラメータを確定するためのSRSパラメータ確定ユニットと、前記移動端末に前記所定関係を送信し、また、前記移動端末に前記１つのアンテナのSRSパラメータを送信するための送信ユニットと、を含む。
【００２４】
以下、添付した図面を参照しながら本発明の最適な実施例を詳細に説明することにより、本発明のこれら及び他の利点が更に明らかになる。
【図面の簡単な説明】
【００２５】
添付した図面を参照しながら本発明の実施例を説明することにより、本発明の以上及び他の目的、特徴及び利点を更に容易に理解することができる。なお、図面中の部品は、本発明の原理を示すためだけのものである。また、図面中の同じ又は類似の技術的特徴又は部品は、同じ又は類似の参照符号により表される。
【図１】従来技術中のSRS送信用のサブフレームを示す図である。
【図２】従来技術中のSRS送信用のもう１つのサブフレームを示す図である。
【図３】本発明の実施例による移動端末のブロック図である。
【図４】本発明の実施例によるSRS送信方法のフローチャートである。
【図５】本発明の実施例による基地局のブロック図である。
【図６】本発明の実施例によるSRSパラメータ送信方法のフローチャートである。
【図７】本発明の実施例による無線通信システムのブロック図である。
【発明を実施するための形態】
【００２６】
以下、添付した図面を参照しながら本発明の実施例を説明する。なお、本発明の１つの図面又は１つの実施例に述べる要素及び特徴は、他の図面又は実施例に示す要素及び特徴と組み合わせしてもよい。また、明確のために、図面及び説明では、本発明と関係がない又は当業者に既知の部品及び処理の例示及び叙述が省略される。
【００２７】
図３は、本発明の実施例による移動端末のブロック図である。移動端末３００は、基地局からのSRSパラメータを受信するための受信ユニット３１０と、受信ユニット３１０により受信したSRSパラメータに基づいて、移動端末３００中の各アンテナにSRSリソースを割り当てるためのSRSリソース割り当てユニット３２０と、各アンテナを経由して、各アンテナに割り当てられているSRSリソースにより、対応するSR信号を送信するための送信ユニット３３０と、を含む。
【００２８】
次に、図４を参照しながら移動端末３００の稼動原理を説明する。
【００２９】
本発明では、システムのシグナリングリソースを節約するために、移動端末は、基地局から１つだけのアンテナのためのSRSパラメータを受信し、他のアンテナのSRSパラメータは、予め設定された各アンテナのSRSパラメータ間の所定関係により得られる。
【００３０】
図４は、本発明の実施例によるSRS送信方法のフローチャートである。ステップS410では、SRSリソース割り当てユニット３２０が、受信ユニット３１０により基地局から受信した１つのアンテナのためのSRSパラメータに基づいて、移動端末３００中の１つのアンテナにSRSリソースを割り当てる。
【００３１】
ステップS420では、SRSリソース割り当てユニット４２０が、移動端末３００中の各アンテナのSRSパラメータ間の所定関係に基づいて、移動端末３００中の他のアンテナのSRSパラメータを確定する。
【００３２】
通常、上述の各種の多重化メカニズムを用いてSRSリソースを多重化するために、基地局が移動端末へ送信するSRSパラメータは、SRS送信用周波数位置、TC値、CS値、及び周波数変調パターンを含んでも良い。移動端末は、受信したSRSパラメータに基づいて、SR信号送信用の対応のSRSリソースをアンテナに実際に割り当ててもよい。
【００３３】
移動端末における異なるアンテナのSRSリソース間が互いに直交することを保証するために、各アンテナのSRSパラメータ中の少なくとも１項目が他のアンテンアと異なる必要がある。例えば、周波数位置、TC値、及びCS値の異なる組み合わせを採用することにより、移動端末における異なるアンテナのSRSリソースを区分することができる。例えば、異なる周波数位置、異なるTC値、同じ又は異なるCS値という組み合わせ、異なる周波数位置、同じTC値、同じ又は異なるCS値という組み合わせ、同じ周波数位置、異なるTC値、同じ又は異なるCS値という組み合わせ、及び、同じ周波数位置、同じTC値、異なるCS値という組み合わせのうち、１つ又は複数を採用しても良い。
【００３４】
予め設定された各種のアンテナのSRSパラメータ間の関係を上述の所定関係としてもよく、言い換えると、各アンテナのSRSリソース間が互いに直交することを保証することができればよい。以下、説明のために、TC値及びCS値を採用することを例とし、アンテナのSRSパラメータ間の関係例を説明する。通常、TC値の取りうる値の範囲は、０及び１であり、それぞれ、キャリア中の通し番号が偶数及び奇数であるサブキャリアを表す。CS値は、３つのビット（bit）を占め、その取りうる値の範囲は、０−７である。
【００３５】
１種の簡単な方法としては、異なるアンテナに対して、同じ又は異なるTC値を取り、また、CS値をその取りうる値の範囲において前又は後へ周期的に所定量順次シフトする方法がある。以下、いくつかの所定関係の例が挙げられる。
【００３６】
次の表１．１−１乃至表１．１−７に示す所定関係は、２つのアンテナの移動端末に適用する。各表では、第一行（Comb_Index）がTC値を表し、その次の行（Cyclic_Shift_Index）がCS値を表す。第一列が、基地局から受信した、１つのアンテナのためのSRSパラメータ中のTC値及びCS値を表してもよく、第二列が、移動端末における他のアンテナのSRSパラメータ中のTC値及びCS値を表してもよく、また、逆でもよい。これらの表では、各アンテナのためのSR信号のTC値が同じであり、例えば、全て０又は全て１（表中の括弧に示すように）であり、また、CS値が、その取りうる値の範囲において前又は後へ周期的に順次ｎシフトされ、ここで、ｎは、１−７である。表１．１−１では、もう１つのアンテナのCS値が、受信したアンテナのCS値より後へ周期的に１シフトされ、表１．１−２では、もう１つのアンテナのCS値が、受信したアンテナのCS値より後へ周期的に２シフトされ、また、その他の表でも同じであるので、ここでは、その説明を省略する。
【００３７】
例えば、所定関係が表１．１−４に示すような場合、基地局から受信したSRSパラメータに基づいて、移動端末における１つのアンテナのTC値が０であり、CS値が０であると、表１．１−４に示す所定関係によれば、移動端末における他のアンテナのTC値が０であり、CS値が４であると確定することができる。他の場合も同じであるので、ここでは、その説明を省略する。
（外３）
2013531405.tif 000010
（外４）
2013531405.tif 000011
（外５）
2013531405.tif 000012
（外６）
2013531405.tif 000013
（外７）
2013531405.tif 000014
（外８）
2013531405.tif 000015
（外９）
2013531405.tif 000016
【００３８】
次の表１．２−１乃至表１．２−８に示す所定関係も同様に２つのアンテナの移動端末に適用する。表１．１−１乃至表１．１−７との相違点は、表１．２−１乃至表１．２−８において、各アンテナのためのSR信号のTC値が異なることにある。また、TC値が異なることにより、SRSリソースが互いに直交することを保証できるので、CS値は、表１．２−８に示すように、同じであってもよい。
【００３９】
例えば、所定関係が表１．２−２に示すような場合、基地局から受信したSRSパラメータに基づいて、移動端末における１つのアンテナのためのTC値が０であり、CS値が１であると、表１．２−２に示す所定関係によれば、移動端末におけるもう１つのアンテナのTC値が１であり、CS値が３であると確定することができる。また、例えば、所定関係が表１．２−２に示すような場合、基地局から受信したSRSパラメータに基づいて、移動端末における１つのアンテナのためのTC値が１であり、CS値が１であると、表１．２−２の所定関係によれば、移動端末におけるもう１つのアンテナのTC値が０であり、CS値が３であると確定することができる。他の場合も同じであるので、ここでは、その説明を省略する。
（外１０）
2013531405.tif 000017
（外１１）
2013531405.tif 000018
（外１２）
2013531405.tif 000019
（外１３）
2013531405.tif 000020
（外１４）
2013531405.tif 000021
（外１５）
2013531405.tif 000022
（外１６）
2013531405.tif 000023
（外１７）
2013531405.tif 000024
【００４０】
次の表２．１−１及び表２．１−２に示す所定関係は、４つのアンテナの移動端末に適用する。各表では、第一行（Comb_Index）が、TC値を表し、その後の行（Cyclic_Shift_Index）が、CS値を表す。第一列が、基地局から受信した、１つのアンテナのためのSRSパラメータ中のTC値及びCS値を表してもよく、その後の列が、移動端末における第二、第三、及び第四アンテナのためのSRSパラメータ中のTC値及びCS値を表してもよい。これらの表では、各アンテナのためのSR信号のTC値が同じであるが、CS値が、その取りうる値の範囲において前又は後へ周期的に順次ｎシフトされ、ここで、ｎは、１−２である。そのうち、表２．１−１及び表２．１−２の列が、置換されてもよく、即ち、その後の列が、第二、第三、第四アンテナに対応してもよく、第三、第二、第四アンテナに対応してもよく、また、これに基づいて類推することもできる。
【００４１】
例えば、所定関係が表２．１−２に示すような場合、基地局から受信したSRSパラメータに基づいて、移動端末における１つのアンテナのTC値が０であり、CS値が０であると、表２．１−２の所定関係によれば、移動端末における他の３つのアンテナのTC値が０であり、CS値がそれぞれ２、４、６であると確定することができる。他の場合も同じであるので、ここでは、その説明を省略する。
（外１８）
2013531405.tif 000025
（外１９）
2013531405.tif 000026
【００４２】
また、上述の表１．１（表１．１−１乃至表１．１−７）と表１．２（表１．２−１乃至１．２−８）とを組み合わせる方式で、４つのアンテナのTC値が異なる時の所定関係表を得ることができる。例えば、表１．２−８と表１．１−４とを組み合わせることにより、次の表２．２−１を取得し、表１．２−２と表１．１−４とを組み合わせることにより、次の表２．２−２を取得し、表１．２−４と表１．１−２とを組み合わせることにより、次の表２．２−３を取得することができる。また、上述と同様に、表２．２−１、表２．２−２、及び表２．２−３の列は、置換されてもよい。
【００４３】
以下、表１．２−８と表１．１−４との組み合わせにより表２．２−１を取得し得ることを例として、その組み合わせ方法を説明する。
【００４４】
表１．２−８を観察することにより、その２つの組のリソース配置のCS値が同じであり、TC値が異なることが分かる。表１．１−４を観察することにより、その２つの組のリソース配置のCS値が周期的に４シフトされ、TC値が同じであることが分かる。これらの規律に基づいて、この２つの表を組み合わせることにより、４つのアンテナの配置表、例えば、表２．２−１を形成することができる。そのうち、４つのアンテナは、２つの組に分け、各組のTC値が同じであり、例えば、表２．２−１の第一及び第三列が１つの組になり、第二及び第四列がもう１つの組になる。また、各組内の２列の配置の中で、CS値が周期的に４シフトされる。
【００４５】
例えば、所定関係が表１．２−２に示すような場合、基地局から受信したSRSパラメータに基づいて、移動端末における１つのアンテナのTC値が０であり、CS値が１であると、表１．２−２の所定関係によれば、移動端末におけるもう１つのアンテナのTC値が１であり、CS値が３であると確定することができる。他の場合も同じであるので、ここでは、その説明を省略する。
（外２０）
2013531405.tif 000027
（外２１）
2013531405.tif 000028
（外２２）
2013531405.tif 000029
【００４６】
理解すべきは、上述のようなTC値とCS値との組み合わせにより表されている所定関係は、例示的なものだけである。また、上述の所定関係は、周波数位置とTC値との組み合わせ、周波数位置とCS値との組み合わせ、周波数位置とTC値及びCS値との組み合わせなどであってもよく、言い換えると、各アンテナのSRSリソースが互いに直交することを保証できればよい。
【００４７】
本発明の実施例によれば、上述の所定関係は、各種の形式、例えば、テーブル（表）、データベース、多次元配列などで、予め移動端末に保存されてもよく、例えば、予め移動端末における記憶ユニット（図示せず）に記憶されてもよい。もちろん、基地局は、対応する所定関係を予め保存する必要もある。
【００４８】
しかし、予め所定関係を移動端末に保存することには、一定の制限がある。即ち、標準の統一のために、各移動端末は、同じ所定関係を用いなければならない。これにより、システム内の各セルも、同じ所定関係を用いなければならない。よって、システムは、所定関係を柔軟に更新することができない。
【００４９】
所定関係をより柔軟に利用するために、本発明の実施例によれば、上述のような所定関係は、基地局により移動端末に送信されてもよい。例えば、基地局は、ダウンリンクブロードキャスト（downlink broadcast）シグナリングにより、異なるアンテナの個数に対応する所定関係をブロードキャストしてもよく、また、移動端末は、基地局からのダウンリンクブロードキャストシグナリングを受信して、その中から、自身のアンテナの個数に対応する所定関係を取得してもよい。
【００５０】
また、本発明の実施例によれば、基地局は、チャンネル条件及び無線リンク特性の変動に基づいて、上述の所定関係を動的に更新してもよい。このようにすると、所定関係を自セルの具体的な状況に合わせる（適応させる）ことができ、即ち、各セルは、同じ所定関係を用いる必要がない。
【００５１】
続いて図４を参照する。ステップS430では、SRSリソース割り当てユニット３２０が、確定した他のアンテナのSRSパラメータに基づいて、他のアンテナにSRSリソースを割り当てる。
【００５２】
SRSリソースを割り当てた後に、ステップS４４０では、送信ユニット３３０が、移動端末３００中の各アンテナを経由して、各アンテナに割り当てられているSRSリソースにより、各アンテナのＳＲ信号をそれぞれ送信する。
【００５３】
図５は、本発明の実施例による基地局のブロック図である。この基地局は、本発明の実施例による移動端末３００とあわせて用いられ得る。基地局５００は、移動端末からの各種データ及びシグナリング、例えば、移動端末からのＳＲ信号などを受信するための受信ユニット５１０と、移動端末におけるアンテナに、SRSパラメータを確定するためのSRSパラメータ確定ユニット５２０と、移動端末に、各種のデータ及びシグナリング、例えば、移動端末のアンテナのSRSパラメータなどを送信するための送信ユニット５３０と、を含む。
【００５４】
以下、図６を参照しながら基地局５００の稼動原理を具体的に説明する。図６は、本発明の実施例によるSRSパラメータ送信方法のフローチャートである。
【００５５】
ステップS610では、送信ユニット５３０が、移動端末に、移動端末における各アンテナのSRSパラメータ間の所定関係を送信する。なお、該所定関係の具体的な説明については、図４による移動端末についての説明を参照することができるので、ここでは、その説明を略す。
【００５６】
ステップS620では、SRSパラメータ確定ユニット５２０が、上述の所定関係に基づいて、移動端末における１つのアンテナのためのSRSパラメータを確定する。具体的に言えば、SRSパラメータ確定ユニット５２０は、システムのリソースの使用可能な状況、及び、所定関係に現れている各アンテナのSRSパラメータの関係に基づいて、適切なSRSパラメータを選択し、これにより、移動端末は、ＳＲ信号に、使用可能なシステムリソースを割り当てる。
【００５７】
ステップＳ６３０では、送信ユニット５３０が、移動端末に、上述に確定した、移動端末における１つのアンテナのためのSRSパラメータを送信する。
【００５８】
移動端末からのＳＲ信号を受信した後に、基地局は、ＳＲ信号を利用してチャンネル品質測定を行うことができる。
【００５９】
また、本発明の実施例によれば、ステップS610の前に、受信ユニット５１０は、移動端末から、移動端末のアンテナの個数を受信することができ、これにより、SRSパラメータ確定ユニット５２０は、該アンテナの個数に対応する所定関係を確定し、さらに、該アンテナの個数、及び、確定した所定関係に基づいて、移動端末に送信する１つのアンテナのためのSRSパラメータを確定することができる。よって、上述の移動端末のSRSリソースと、システムが他の移動端末に指定している（与えている）SRSリソースとの衝突を防止することができる。
【００６０】
上述のように、送信ユニット５３０は、ダウンリンクブロードキャストシグナリングにより、上述の所定関係をブロードキャストすることができる。また、本発明の他の実施例によれば、送信ユニット５３０がブロードキャストする所定関係には、各種のアンテナの個数に対応する所定関係が含まれてもよく、これにより、セル中の移動端末は、その中から、自身のアンテナの個数に対応する所定関係を取得することができる。
【００６１】
また、上述のように、所定関係の使用をより柔軟にするために、SRSパラメータ確定ユニット５２０は、チャンネル条件及び無線リンク特性の変動に基づいて、上述の所定関係を更新することができる。
【００６２】
図７は、本発明の実施例による無線通信システムのブロック図である。無線通信システム７００は、上述の移動端末３００及び基地局５００からなる。説明の簡単のために、ここでは、移動端末３００及び基地局５００並び両者間の通信についての説明を略す。
【００６３】
本発明の上述の実施例では、アンテナのSRSパラメータ間の所定関係により、移動端末の異なるアンテナを区分することができる。このような所定関係により、異なる移動端末を区分することもできる。このようにすると、基地局が１つだけのアンテナのためのSRSパラメータを移動端末に送信すればよいので、システムのシグナリングリソースを節約することができる。
【００６４】
また、基地局が移動端末に上述の所定関係を送信し、且つ基地局がネットワークの状況に応じて上述の所定関係を動的に更新することができるので、システムの柔軟性をより向上させることができる。
【００６５】
また、基地局がダウンリンクブロードキャストシグナリングにより上述の所定関係をブロードキャストし、移動端末がその中から自身のアンテナの個数に対応する所定関係を取得することができるので、システムのシグナリングリソースを更に節約することができる。
【００６６】
なお、上述では、LTEシステムを例として本発明の実施例を説明したが、本発明の実施例は、これに限られない。当業者は、上述の内容を参照した上で、同様なリンクサウンディング基準信号を送信する必要があるWimax等他の通信システムに本発明をも適用できることを簡単に理解すべきである。
【００６７】
また、当業者が理解すべきは、本発明の実施例による方法及び設備の全て又は何れのステップ又は部品は、任意の計算設備（処理器、記憶媒体などを含み）又は計算設備のネットワークにおいて、ハードウェア、ファームウェア、ソフトウェア、又はそれらの組み合わせにより実現されてもよい。これは、当業者が本発明に関する説明を参照した上で基本的なプログラミング手法により実現可能なことであるので、ここでは、その詳細な説明を省略する。
【００６８】
よって、上述の理解に基づいて、本発明の目的は、任意の情報処理装置において1つ又は複数のプログラムを実行することにより実現され得る。この情報処理装置は、既知の汎用装置であってもよい。また、本発明の目的は、上述の方法又は設備を実現可能なプログラムコードを含むプログラムプロダクトを提供することのみにより実現され得る。換言すると、このようなプログラムプロダクトは本発明を構成し、且つこのようなプログラムプロダクトを記憶している記憶媒体も本発明を構成する。もちろん、このような記憶媒体は、既知の任意の記憶媒体又は将来の任意の記憶媒体であってもよいので、ここでは、各種の記憶媒体の列挙を省略する。
【００６９】
本発明の設備及び方法では、もちろん、各部品又は各ステップは、分解、組み合わせ及び／又は分解後再組み合わせが可能なものである。これらの分解、組み合わせ及び／又は再組み合わせは、本発明の等価代替と看做すべきである。
【００７０】
強調すべきは、「包括／含む」という語が、本文で用いられるとき、特徴、要素、ステップ又は部品の存在を指すが、１つ又は複数の他の特徴、要素、ステップ又は部品の存在又は付加を排除しないことである。
【００７１】
また、本発明の方法は、明細書に記載の時間順に従って実行されることに限定されず、他の時間順に従って並行に又は独立して実行されても良い。よって、本明細書に記載の方法の実行順序は、本発明の技術的範囲を限定しない。
【００７２】
以上、本発明の具他的な実施例の説明により本発明が開示されているが、理解すべきは、上述の全ての実施例が例示的なものであり、本発明を限定するものではない。当業者は、添付した請求の範囲の精神及び範囲内で本発明に対して各種の変更、改善又は同等の内容を行ってもよい。これらの変更、改善又は同等の内容は、本発明の保護範囲に含まれると見なすべきである。
【図１】
2013531405.tif 000030
【図２】
2013531405.tif 000031
【図３】
2013531405.tif 000032
【図４】
2013531405.tif 000033
【図５】
2013531405.tif 000034
【図６】
2013531405.tif 000035
【図７】
2013531405.tif 000036
【国際調査報告】
2013531405.tif 000037
2013531405.tif 000038
2013531405.tif 000039
2013531405.tif 000040